(57)【要約】【課題】複数の部屋の夫々にスピーカを配置することなく、各部屋で同一音源の音声を再生する。【解決手段】サウンドシステム１は、音源の音声を再生する第一スピーカ１１と、第一スピーカ１１の再生面１１１に対向するように取り付けられた一の開口端２１と複数の部屋５０の夫々が備える開口部５１に連結された複数の開口端２２とを有するダクト２０と、を備える。【選択図】図３
2020038329.tif 000002
【特許請求の範囲】
【請求項１】
音源の音声を再生する第一スピーカと、
第一スピーカの再生面に対向するように取り付けられた一の開口端と複数の部屋の夫々が備える開口部に連結された複数の開口端とを有するダクトと、
を備えるサウンドシステム。
【請求項２】
前記第一スピーカは、前記音源の音声に含まれる第一音域の音声を再生し、
前記複数の部屋の夫々に、前記音源の音声に含まれる前記第一音域よりも高い第二音域の音声を再生する第二スピーカを備える
請求項１に記載のサウンドシステム。
【請求項３】
前記第一音域は、１００ヘルツ以下の周波数である
請求項２に記載のサウンドシステム。
【請求項４】
前記複数の開口端の夫々に、当該複数の開口端の夫々の開口面積を調整する調整部を更に備える
請求項２又は３に記載のサウンドシステム。
【請求項５】
前記複数の開口端の夫々の開口面積に応じて、前記第一音域の音声の音圧を調整する音圧調整部を更に備える
請求項４に記載のサウンドシステム。
【請求項６】
前記音圧調整部は、前記複数の開口端のうちの一の開口端である対象開口端の開口面積が前記調整部によって調整された状態において前記第一音域の音声の音圧を調整した場合、前記調整部による調整後の前記対象開口端の開口面積に応じて、前記対象開口端に連結された前記開口部を備えた部屋の前記第二スピーカによって再生される前記第二音域の音声の音圧を調整する
請求項５に記載のサウンドシステム。
【請求項７】
前記複数の部屋の夫々に、音声を集音するマイクを備え、
前記複数の部屋の夫々の前記マイクが集音した音声の音圧の周波数特性に応じて、前記第一音域の音声の音圧及び前記複数の部屋の夫々の前記第二スピーカによって再生される前記第二音域の音声の音圧を調整する音圧調整部を更に備える
請求項４に記載のサウンドシステム。
【請求項８】
前記一の開口端から前記複数の部屋の夫々が備える開口部までの距離に応じて、前記複数の部屋の夫々の前記第二スピーカによる前記第二音域の音声の再生タイミングを調整する遅延時間調整部を更に備える
請求項２から７の何れか一項に記載のサウンドシステム。
【請求項９】
前記ダクトは、空調用に予め設けられたダクトである
請求項１から８の何れか一項に記載のサウンドシステム。
【発明の詳細な説明】
【技術分野】
【０００１】
本開示は、複数のスピーカに同一音源の音声を再生させるサウンドシステムに関する。
【背景技術】
【０００２】
従来から、複数のスピーカに同一音源の音声を再生させるサウンドシステムが知られている。例えば、下記特許文献１には、車内の複数の座席の夫々に、音響管とスピーカ装置とを一対にして収容した筐体を取り付け、各スピーカ装置によって再生した音声を、音響管を介して各座席の着座者の耳元近傍で再生することが記載されている。
【先行技術文献】
【特許文献】
【０００３】
【特許文献１】特開２００５−１５９４１１号公報
【発明の概要】
【発明が解決しようとする課題】
【０００４】
しかし、上記の従来の技術では、音声を再生する対象の複数の場所の夫々に、スピーカを配置するスペースが必要になるという課題があった。
【０００５】
本発明は、複数の部屋の夫々にスピーカを配置することなく、各部屋で同一音源の音声を再生することができるサウンドシステムを提供する。
【課題を解決するための手段】
【０００６】
上記課題を解決するために、本開示の一態様によるサウンドシステムは、音源の音声を再生する第一スピーカと、第一スピーカの再生面に対向するように取り付けられた一の開口端と複数の部屋の夫々が備える開口部に連結された複数の開口端とを有するダクトと、を備える。
【発明の効果】
【０００７】
上記態様によれば、複数の部屋の夫々にスピーカを配置することなく、各部屋で同一音源の音声を再生することができる。
【図面の簡単な説明】
【０００８】
【図１】従来のサウンドシステムの第一の構成例を示す図である。
【図２】従来のサウンドシステムの第二の構成例を示す図である。
【図３】本開示のサウンドシステムの第一の構成例を示す図である。
【図４】低音用スピーカ及び中高音用スピーカが再生する音声の音圧の周波数特性の一例を示す図である。
【図５】ダクトを介して音源の音声を再生する実験の条件の一例を示す図である。
【図６】ダクトを介して再生された音声の音圧の周波数特性の一例を示すグラフである。
【図７】本開示のサウンドシステムの第二の構成例を示す図である。
【図８】調整部の第一の構成例を示す図である。
【図９】調整部の第二の構成例を示す図である。
【図１０】本開示のサウンドシステムの第三の構成例を示す図である。
【図１１】本開示のサウンドシステムの第四の構成例を示す図である。
【図１２】本開示のサウンドシステムの第五の構成例を示す図である。
【図１３】本開示のサウンドシステムの第六の構成例を示す図である。
【図１４】本開示のサウンドシステムの第七の構成例を示す図である。
【発明を実施するための形態】
【０００９】
（本開示の基礎となった知見）
従来から、複数のスピーカに同一音源の音声を再生させるサウンドシステムが知られている。例えば、図１に示すように、リビング、寝室及び書斎等の複数の部屋の夫々に配置された低音用スピーカ及びスピーカと、オーディオシステムに接続された低域用アンプ及びアンプと、が接続されたサウンドシステムが知られている。このサウンドシステムでは、オーディオシステムにおいてＣＤ、ＤＶＤ又はＵＳＢメモリ等から取得された音源の低音域及び中高音域の音声が、低域用アンプ及びアンプで増幅された後、各部屋の低音用スピーカ及びスピーカに送信され、各部屋の低音用スピーカ及びスピーカによって再生される。
【００１０】
また、図２に示すように、複数の部屋の夫々に、オーディオシステムに接続された低域用アンプ及びアンプと、当該低域用アンプ及びアンプと通信可能に接続されたスピーカ及び低音用スピーカとを配置したサウンドシステムが知られている。このサウンドシステムでは、オーディオシステムで取得された音源の低音域及び中高音域の音声が、各部屋の低域用アンプ及びアンプに送信され、各部屋の低域用アンプ及びアンプで増幅された後、各部屋の低音用スピーカ及びスピーカによって再生される。
【００１１】
また、上記特許文献１には、車内の複数の座席の夫々に、音響管とスピーカ装置とを一対にして収容した筐体を取り付け、各スピーカ装置によって再生した音声を、音響管を介して各座席の着座者の耳元近傍で再生することが記載されている。
【００１２】
しかし、上記の従来技術では、音声を再生する対象の複数の場所の夫々に、スピーカを配置するスペースが必要になるという課題があった。
【００１３】
このような課題を解決するために、本開示の一態様によるマルチポートシステムは、音源の音声を再生する第一スピーカと、第一スピーカの再生面に対向するように取り付けられた一の開口端と複数の部屋の夫々が備える開口部に連結された複数の開口端とを有するダクトと、を備える。
【００１４】
本態様によれば、複数の部屋の夫々に第一スピーカを備えなくても、複数の部屋の夫々において、第一スピーカによって再生される音源の音声を、ダクトを介して再生することができる。その結果、複数の部屋の夫々において、第一スピーカを配置するためのスペースを削減することができる。
【００１５】
また、上記態様において、前記第一スピーカは、前記音源の音声に含まれる第一音域の音声を再生し、前記複数の部屋の夫々に、前記音源の音声に含まれる前記第一音域よりも高い第二音域の音声を再生する第二スピーカを備えてもよい。
【００１６】
本態様によれば、複数の部屋の夫々において、音源の音声に含まれる第一音域の音声をダクトを介して再生し、音源の音声に含まれる第一音域よりも高い第二音域の音声を第二スピーカによって再生することができる。
【００１７】
また、上記態様において、前記第一音域は、１００ヘルツ以下の周波数であることが好ましい。
【００１８】
本発明者は、実験の結果、各部屋において１００ヘルツ以下の周波数の音声を前記ダクトを介して再生した場合、当該音声の音圧の周波数特性はピーク（膨張）及びディップ（減少）が小さいという特性を有することを知見した。一方、発明者は、各部屋において１００ヘルツよりも高い周波数の音声を前記ダクトを介して再生した場合、当該音声の音圧の周波数特性は、ピーク及びディップが大きいという特性を有することを知見した。
【００１９】
本態様によれば、複数の部屋の夫々において、ダクトを介して前記音源の音声に含まれる１００ヘルツ以下の周波数の音声が再生される。このため、上記の発明者の知見に基づき、複数の部屋の夫々において、音圧周波数特性の乱れ（ピーク及びディップ）が小さい前記１００ヘルツ以下の周波数の音声を再生することができる。
【００２０】
また、本態様によれば、複数の部屋の夫々において、ダクトを介さずに第二スピーカによって前記音源の音声に含まれる１００ヘルツよりも高い周波数の第二音域の音声が再生される。このため、上記の発明者の知見に基づき、複数の部屋の夫々において、前記音源の音声に含まれる１００ヘルツよりも高い周波数の第二音域の音声を、ピーク及びディップが生じないように再生することができる。
【００２１】
また、上記態様において、前記複数の開口端の夫々に、当該複数の開口端の夫々の開口面積を調整する調整部を更に備えてもよい。
【００２２】
本構成によれば、複数の開口端の夫々の開口面積を調整することで、ダクト内から各部屋に流れ込む、第一音域の音声を含んだ空気の量を調整することができる。これにより、各部屋で再生される第一音域の音声の音圧を調整することができる。
【００２３】
また、上記態様において、前記複数の開口端の夫々の開口面積に応じて、前記第一音域の音声の音圧を調整する音圧調整部を更に備えてもよい。
【００２４】
調整部により開口端の開口面積が小さく調整されると、当該開口端に連結された開口部から流出する音のエネルギーは小さくなる。このため、当該開口部を備えた部屋では、第一音域の音声の音圧が小さくなる。一方、他の開口端に連結された開口部に流れる音のエネルギーは大きくなるので、他の部屋では、第一音域の音声の音圧が大きくなる。これとは、反対に、調整部により開口端の開口面積が大きく調整されると、当該開口端に連結された開口部から流出する音のエネルギーは大きくなる。このため、当該開口部を備えた部屋では、第一音域の音声の音圧が大きくなる。一方、他の開口端に連結された開口部に流れる音のエネルギーは小さくなるので、他の部屋では、第一音域の音声の音圧が小さくなる。
【００２５】
したがって、ある部屋において調整部による開口面積の調整が行われた場合に、他の部屋において再生される第一音域の音声の音圧が変化し、当該他の部屋において再生される第二音域の音声の音圧と第一音域の音声の音圧とのバランスが崩れる虞がある。
【００２６】
本構成によれば、上述のように、ある部屋の開口部に連結されたダクトの開口端の開口面積が調整されたことにより、他の各部屋で再生される第一音域の音声の音圧が変化することを回避するため、各開口端の開口面積に応じて、第一音域の音声の音圧を当該変化前の音圧に調整することができる。
【００２７】
また、上記態様において、前記音圧調整部は、前記複数の開口端のうちの一の開口端である対象開口端の開口面積が前記調整部によって調整された状態において前記第一音域の音声の音圧を調整した場合、前記調整部による調整後の前記対象開口端の開口面積に応じて、前記対象開口端に連結された前記開口部を備えた部屋の前記第二スピーカによって再生される前記第二音域の音声の音圧を調整してもよい。
【００２８】
本構成によれば、対象開口端の開口面積が調整された状態において第一音域の音声の音圧が調整された場合に、対象開口端に連結された開口部を備えた部屋で再生される第一音域の音声の音圧と第二音域の音声の音圧のバランスが崩れないように、当該部屋の第二スピーカによって再生される第二音域の音声の音圧を調整することができる。
【００２９】
また、上記態様において、前記複数の部屋の夫々に、音声を集音するマイクを備え、前記複数の部屋の夫々の前記マイクが集音した音声の音圧の周波数特性に応じて、前記第一音域の音声の音圧及び前記複数の部屋の夫々の前記第二スピーカによって再生される前記第二音域の音声の音圧を調整する音圧調整部を更に備えてもよい。
【００３０】
本構成によれば、各部屋で再生される、第一音域の音声の音圧と第二音域の音声の音圧のバランスが崩れないように、各部屋でマイクによって集音された音声の音圧の周波数特性に応じて、各部屋で再生される第一音域の音声の音圧と第二音域の音声の音圧とを調整することができる。
【００３１】
また、上記態様において、前記一の開口端から前記複数の部屋の夫々が備える開口部までの距離に応じて、前記複数の部屋の夫々の前記第二スピーカによる前記第二音域の音声の再生タイミングを調整する遅延時間調整部を更に備えてもよい。
【００３２】
第一スピーカで再生された第一音域の音声が各部屋の開口部に到達するタイミングは、一の開口端から複数の部屋の夫々が備える開口部までの距離に応じて異なる。本構成によれば、前記距離に応じて、各部屋の第二スピーカによる第二音域の音声の再生タイミングを調整することで、各部屋において第一音域の音声と第二音域の音声の位相を合わせて再生することができる。
【００３３】
また、上記態様において、前記ダクトは、空調用に予め設けられたダクトであってもよい。
【００３４】
本構成によれば、複数の部屋の夫々において、第一スピーカが再生した音源の音声を空調用のダクトを介して再生することができる。このため、前記ダクトを当該空調用のダクトとは個別に設置するのに要するコスト及び配置スペースを低減することができる。
【００３５】
尚、以下で説明する実施の形態は、いずれも本開示の一具体例を示すものである。以下の実施の形態で示される数値、形状、構成要素などは一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることも出来る。
【００３６】
（第一実施形態）
以下、本開示の第一実施形態に係るサウンドシステムについて説明する。図３は、本開示のサウンドシステム１の第一の構成例を示す図である。サウンドシステム１は、オーディオシステム３０と、低域用アンプ３１と、低音用スピーカ１１（第一スピーカ）と、中高域用アンプ３２と、中高音用スピーカ１２（第二スピーカ）と、ダクト２０と、を備える。
【００３７】
オーディオシステム３０は、ＣＤプレーヤー、ＤＶＤプレーヤー、ＵＳＢメモリプレーヤー、及び／又はラジオ等によって構成され、リビング、書斎及び寝室等の複数の部屋５０で再生する音声の音源を示す信号を、ＣＤ、ＤＶＤ、ＵＳＢメモリ及び／又は放送信号等から取得する。
【００３８】
オーディオシステム３０は、低域用アンプ３１及び中高域用アンプ３２と通信可能に接続されている。オーディオシステム３０は、取得した信号に含まれる１００ヘルツ以下の周波数（以降、第一音域）の音声（以降、低域音声）を示す信号と、１００ヘルツより高い周波数（以降、第二音域）の音声（以降、中高域音声）を示す信号と、を個別に抽出する。オーディオシステム３０は、当該抽出した低域音声を示す信号を低域用アンプ３１に出力し、当該抽出した中高域音声を示す信号を中高域用アンプ３２に出力する。
【００３９】
オーディオシステム３０は、不図示の二個のボリュームつまみを備え、ユーザによる当該二個のボリュームつまみの操作によって、低域音声を再生するときの音圧（以降、低域音圧）と、中高域音声を再生するときの音圧（以降、中高域音圧）と、を個別に設定可能に構成されている。オーディオシステム３０は、二個のボリュームつまみの操作によって設定された低域音圧を示す信号を低域用アンプ３１に出力し、中高域音圧を示す信号を中高域用アンプ３２に出力する。
【００４０】
低域用アンプ３１は、低音用スピーカ１１との間で無線及び／又は有線通信によって通信可能に接続されている。低域用アンプ３１は、オーディオシステム３０から入力された低域音声を示す信号を、オーディオシステム３０から入力された信号が示す低域音圧に対応する増幅率で増幅し、当該増幅した信号を低音用スピーカ１１に出力する。
【００４１】
図４は、低音用スピーカ１１及び中高音用スピーカ１２が再生する音声の音圧の周波数特性の一例を示す図である。低音用スピーカ１１は、図４に示すように、１００ヘルツ以下の周波数の低音域の音声を安定した音圧で再生可能な特性を有する。低音用スピーカ１１は、低域用アンプ３１によって増幅された低域音声を示す信号を再生する。
【００４２】
具体的には、低音用スピーカ１１は、低域用アンプ３１から増幅された低域音声を示す信号を受信すると、スピーカ振動板１１１（再生面）を介して音響容積部１１２に前記低域音声を示す音波を放射する。これにより、低音用スピーカ１１は、音響容積部１１２内の空気の振動による共振で前記低域音声の音圧を高くした後、音響容積部１１２に設けられたスピーカ振動板１１１と対向する開口部１１３から前記低域音声を示す音波を放射する。
【００４３】
中高域用アンプ３２は、中高音用スピーカ１２との間で無線及び／又は有線通信によって通信可能に接続されている。中高域用アンプ３２は、オーディオシステム３０から入力された中高域音声を示す信号を、オーディオシステム３０から入力された信号が示す中高域音圧に対応する増幅率で増幅し、当該増幅した信号を、複数の部屋５０の夫々に設けられた中高音用スピーカ１２に出力する。
【００４４】
中高音用スピーカ１２は、複数の部屋５０の夫々に設けられている。中高音用スピーカ１２は、一般的なスピーカによって構成され、図４に示すように、１００ヘルツ以上の周波数の中高音域の音声を安定した音圧で再生可能な特性を有する。中高音用スピーカ１２は、中高域用アンプ３２によって増幅された中高域音声を示す信号を再生する。
【００４５】
ダクト２０は、例えば、塩化ビニル管等の軽量且つ硬い材質の管によって構成され、低音用スピーカ１１の開口部１１３に取り付けられた一の開口端２１と、複数の部屋５０の夫々が備える開口部５１に連結された複数の開口端２２と、を有する。低音用スピーカ１１によって開口部１１３から放射された低域音声を示す音波は、ダクト２０内の空気によって、複数の開口端２２に連結された各部屋５０の開口部５１に伝搬される。これにより、低音用スピーカ１１が再生した低域音声が複数の部屋５０の夫々において再生される。
【００４６】
尚、各部屋５０の開口部５１は、各部屋５０の天井、床面又は側壁に設けられている。ダクト２０は、各部屋５０の開口部５１の配置位置に応じて、各部屋５０の天井裏の空間、床面下の空間及び／又は隣り合う二個の部屋５０の側壁間の空間に配置される。
【００４７】
また、ダクト２０は、不図示のエアコンによって複数の部屋５０の空気環境を一括して調整するために設けられた不図示の空調用のダクトを用いて構成してもよい。この場合、複数の部屋５０の夫々において、低音用スピーカ１１が再生した低域音声を空調用のダクトを介して再生することができる。このため、ダクト２０を当該空調用のダクトとは個別に設置するのに要するコスト及び配置スペースを低減することができる。
【００４８】
また、オーディオシステム３０、低域用アンプ３１、中高域用アンプ３２及び低音用スピーカ１１は、複数の部屋５０のうちの一以上の部屋に配置してもよいし、複数の部屋５０とは異なる一以上の部屋に配置してもよい。
【００４９】
（音源の音声を１００ヘルツによって二つの音域の音声に分けて再生する理由）
以下、上記サウンドシステム１において、オーディオシステム３０で取得された音源の音声を、１００ヘルツによって二つの音域の音声に分けて個別に再生する理由について説明する。図５は、ダクト２０を介して音源の音声を再生する実験の条件の一例を示す図である。図６は、ダクト２０を介して再生された音声の音圧の周波数特性の一例を示すグラフである。
【００５０】
発明者は、複数の部屋５０の夫々にスピーカを配置せず、各部屋５０においてダクト２０を介して音源の音声を適切に再生できるか否かを検証するため、以下に示す実験を行った。具体的には、図５に示すように、音の反射のない無響室に、音響容積部１１２の容積が１７．５リットルの低音用スピーカ１１を配置し、当該低音用スピーカ１１によって２０ヘルツ以上１８０ヘルツ以下の複数の周波数の音声を再生させた。そして、内径が「１０７ｍｍ」のダクト２０を介して他の無響室で再生された音声を、当該他の無響室の開口部５１から１メートル離れた位置に配置したマイク９０によって集音した。そして、図６に示すように、当該集音した音声の音圧の周波数特性をグラフ化した。
【００５１】
尚、図５及び図６において、符号Ｌｄは、ダクト２０の一の開口端２１（図３）か前記他の無響室の開口部５１までの長さ（以降、ダクト長Ｌｄ）を示している。また、図６のグラフには、低音用スピーカ１１が配置された無響室において、ダクト２０の一の開口端２１（図３）を低音用スピーカ１１の開口部１１３から取り外し、開口部１１３から１ｍ離れた位置に配置したマイク９０によって集音した音声の音圧の周波数特性も、ダクト長Ｌｄが０ｍの場合の周波数特性として示している。
【００５２】
発明者は、当該実験の結果、図６に示すように、前記他の無響室において１００ヘルツ以下の周波数の音声をダクト２０を介して再生した場合、当該音声の音圧周波数特性は、ピーク（膨張）及びディップ（減少）が小さいという特性を有することを知見した。本発明者は、当該知見に基づき、１００ヘルツ以下の周波数の音声については、各部屋５０においてダクト２０を介して再生することにした。
【００５３】
一方、発明者は、前記他の無響室において１００ヘルツよりも高い周波数の音声をダクト２０を介して再生した場合、当該音声の音圧周波数特性は、ピーク及びディップが大きいという特性を有することを知見した。本発明者は、当該知見に基づき、１００ヘルツよりも高い周波数の音声は、各部屋５０においてダクト２０を介して適切に再生できないので、各部屋５０に中高音用スピーカ１２を配置して、当該中高音用スピーカ１２で再生することにした。
【００５４】
このように、第一実施形態の構成によれば、複数の部屋５０の夫々に低音用スピーカ１１を備えなくても、複数の部屋５０の夫々において、第一スピーカ１１によって再生される音源の音声を、ダクト２０を介して再生することができる。その結果、複数の部屋５０の夫々において、低音用スピーカ１１を配置するためのスペースを削減することができる。
【００５５】
また、上記第一実施形態の構成では、複数の部屋５０の夫々において、ダクト２０を介して１００ヘルツ以下の周波数の音声が再生される。このため、上記の発明者の知見に基づき、複数の部屋５０の夫々において、ピーク及びディップが小さい１００ヘルツ以下の周波数の音声を再生することができる。
【００５６】
また、複数の部屋５０の夫々において、ダクト２０を介さずに中高音用スピーカ１２によって１００ヘルツよりも高い周波数の音声が再生される。このため、上記の発明者の知見に基づき、複数の部屋５０の夫々において、前記音源の音声に含まれる１００ヘルツよりも高い周波数の音声を、ピーク及びディップが生じないように再生することができる。
【００５７】
（第二実施形態）
上記第一実施形態では、複数の部屋５０の夫々において再生される低域音声の音圧を調整することはできなかったが、以下のようにして当該調整を行えるようにしてもよい。図７は、本開示のサウンドシステム１ａの第二の構成例を示す図である。図７に示すように、サウンドシステム１ａは、第一実施形態のサウンドシステム１の構成に加え、ダクト２０の複数の開口端２２の夫々に、当該複数の開口端２２の夫々の開口面積を調整する調整部２３を備える。
【００５８】
図８は、調整部２３の第一の構成例を示す図である。具体的には、図８に示すように、調整部２３は、絞り機構２３１を備えている。調整部２３の周面は、ユーザによって軸回りに回転可能に構成されている。絞り機構２３１は、調整部２３の周面が時計回りに回転された度合が大きい程、開口端２２の開口面積ＳＡを小さく調整する。一方、絞り機構２３１は、調整部２３の周面が反時計回りに回転された度合が大きい程、開口端２２の開口面積ＳＡを大きく調整する。
【００５９】
また、調整部２３は、不図示の駆動制御部とリモコン５２（図７）とを備える。リモコン５２は、持ち運び可能に構成され、小さく調整させる指示（以降、閉指示）及び開口面積ＳＡを大きく調整させる指示（以降、開指示）のうちの何れか一を選択可能な不図示の操作ボタンを備えている。
【００６０】
リモコン５２は、当該操作ボタンが押下されている間、選択された閉指示又は開指示を示す信号を、調整部２３の駆動制御部に向けて赤外線等で無線送信する。調整部２３の駆動制御部は、リモコン５２から閉指示を示す信号を受信している間、調整部２３の周面を時計回りに回転させる。これにより、開口端２２の開口面積ＳＡは小さく調整される。一方、調整部２３の駆動制御部は、リモコン５２から開指示を示す信号を受信している間、調整部２３の周面を反時計回りに回転させる。これにより、開口端２２の開口面積ＳＡは大きく調整される。
【００６１】
尚、調整部２３は、これに限らず、以下のように構成してもよい。図９は、調整部２３の第二の構成例を示す図である。図９に示すように、調整部２３は、開閉シャッター２３２を備える。開閉シャッター２３２は、その表面又は裏面を指で押さえながら、図９の細線矢印に平行な方向に移動自在に構成されている。開閉シャッター２３２は、図９の細線矢印方向に移動した度合が大きい程、開口端２２の開口面積ＳＡを小さく調整する。一方、開閉シャッター２３２は、図９の細線矢印方向とは逆方向に移動した度合が大きい程、開口端２２の開口面積ＳＡを大きく調整する。
【００６２】
また、調整部２３は、不図示の駆動制御部とリモコン５２（図７）とを備え、開閉シャッター２３２を自動制御可能に構成されている。具体的には、調整部２３の駆動制御部は、リモコン５２から閉指示を示す信号を受信している間、開閉シャッター２３２を図９の細線矢印方向に移動させる。これにより、開口端２２の開口面積ＳＡは小さく調整される。一方、調整部２３の駆動制御部は、リモコン５２から開指示を示す信号を受信している間、開閉シャッター２３２を図９の細線矢印方向とは逆方向に移動させる。これにより、開口端２２の開口面積ＳＡは大きく調整される。
【００６３】
したがって、第二実施形態の構成によれば、複数の開口端２２の夫々の開口面積ＳＡを調整することで、ダクト２０内から各部屋５０に流れ込む、低域音声を含んだ空気の量を調整することができる。これにより、各部屋５０で再生される低域音声の音圧を調整することができる。
【００６４】
（第三実施形態）
上記第二実施形態では、複数の部屋５０の夫々において再生される低域音声の音圧を調整することができる。しかし、調整部２３により開口端２２の開口面積ＳＡが小さく調整されると、当該開口端２２に連結された開口部５１から流出する音のエネルギーは小さくなる。このため、当該開口部５１を備えた部屋５０では、低域音声の音圧が小さくなる。一方、他の開口端２２に連結された開口部５１に流れる音のエネルギーは大きくなるので、他の部屋５０では、低域音声の音圧が大きくなる。これとは、反対に、調整部２３により開口端２２の開口面積ＳＡが大きく調整されると、当該開口端２２に連結された開口部５１から流出する音のエネルギーは大きくなる。このため、当該開口部５１を備えた部屋５０では、低域音声の音圧が大きくなる。一方、他の開口端２２に連結された開口部５１に流れる音のエネルギーは小さくなるので、他の部屋５０では、低域音声の音圧が小さくなる。
【００６５】
したがって、ある部屋５０において調整部２３による開口面積ＳＡの調整が行われた場合に、他の部屋５０において再生される低域音声の音圧が変化し、他の部屋５０において再生される中高域音声の音圧と低域音声の音圧とのバランスが崩れる虞がある。
【００６６】
このような問題を回避するため、以下に示すように、第二実施形態におけるサウンドシステム１ａの構成を変形してもよい。図１０は、本開示のサウンドシステム１ｂの第三の構成例を示す図である。図１０に示すように、サウンドシステム１ｂは、第二実施形態のサウンドシステム１ａの構成に加え、音圧調整部３３を備える。
【００６７】
音圧調整部３３は、複数の開口端２２の夫々の開口面積ＳＡに応じて、低域音声の音圧を調整する。具体的には、音圧調整部３３は、メモリ等を備えた信号処理回路と通信回路によって構成され、オーディオシステム３０、低域用アンプ３１、及び各調整部２３の駆動制御部と通信可能に接続されている。
【００６８】
各調整部２３の駆動制御部は、開口端２２の開口面積ＳＡが調整されると、当該調整後の開口面積ＳＡを示す信号を音圧調整部３３に送信する。音圧調整部３３は、当該調整後の開口面積ＳＡを示す信号を受信すると、複数の調整部２３の駆動制御部の夫々に、現在の開口面積ＳＡを示す信号を送信することを要求する要求信号を送信する。複数の開口端２２の駆動制御部の夫々は、当該要求信号を受信すると、現在の開口端２２の開口面積ＳＡを示す信号を音圧調整部３３に返信する。
【００６９】
音圧調整部３３は、複数の開口端２２の駆動制御部の夫々から返信された開口端２２の開口面積ＳＡを示す信号を受信すると、当該受信した各信号が示す開口端２２の開口面積ＳＡの総和を算出する。
【００７０】
音圧調整部３３は、前回算出した開口面積ＳＡの総和（以降、前回面積総和）に対する今回算出した開口面積ＳＡの総和（以降、今回面積総和）の変化量に応じて、低域用アンプ３１が低音域音声の音圧を増幅するときの増幅率の調整量を算出する。尚、前回面積総和に対する今回面積総和の変化量とは、今回面積総和から前回面積総和を減算した結果（＝今回面積総和−前回面積総和）、又は、今回面積総和を前回面積総和によって除算した結果（＝今回面積総和／前回面積総和）である。
【００７１】
具体的には、音圧調整部３３を構成する前記信号処理回路のメモリには、前回面積総和に対する今回面積総和の変化量と、低域用アンプ３１が低音域音声の音圧を増幅するときの増幅率の調整量と、を対応付ける第一テーブルが予め記憶されている。したがって、音圧調整部３３は、第一テーブルを参照し、前回面積総和に対する今回面積総和の変化量に対応付けられた調整量を取得することで、低域用アンプ３１が低音域音声の音圧を増幅するときの増幅率の調整量を算出する。
【００７２】
尚、上述のように、今回面積総和が前回面積総和よりも小さくなると、ダクト２０内の空気が高圧化し、低域音声の音圧が大きくなる。この場合、低域音声の音圧を小さく調整する必要がある。したがって、第一テーブルでは、今回面積総和が前回面積総和よりも小さくなったことを示す変化量には、当該変化量に応じて増幅率を増大する調整量が対応付けられている。
【００７３】
例えば、前回面積総和に対する今回面積総和の変化量が、今回面積総和から前回面積総和を減算した結果で示されるとする。この場合、今回面積総和が前回面積総和よりも小さくなったことを示す変化量は、負の値である。この場合、第一テーブルでは、負の値の変化量（例えば、−１ｃｍ２）と対応付けて、当該変化量の絶対値分だけ、前記増幅率を増大する調整量（例えば、＋１）が対応付けられている。
【００７４】
又は、前回面積総和に対する今回面積総和の変化量が、今回面積総和から前回面積総和を除算した結果で示されるとする。この場合、今回面積総和が前回面積総和よりも小さくなったことを示す変化量は、１未満の値となる。この場合、第一テーブルでは、１未満の変化量（例えば、０．９５）と対応付けて、１から当該変化量を減算した結果（例えば、１−０．９５）の分だけ、前記増幅率を増大する調整量（例えば、×１．０５（＝１＋（１−０．９５）））が対応付けられている。
【００７５】
一方、今回面積総和が前回面積総和よりも大きくなると、ダクト２０内の空気が低圧化し、低域音声の音圧が小さくなる。この場合、低域音声の音圧を大きく調整する必要がある。したがって、第一テーブルでは、今回面積総和が前回面積総和よりも大きくなったことを示す変化量には、当該変化量に応じて増幅率を減少させる調整量が対応付けられている。
【００７６】
例えば、前回面積総和に対する今回面積総和の変化量が、今回面積総和から前回面積総和を減算した結果で示されるとする。この場合、今回面積総和が前回面積総和よりも大きくなったことを示す変化量は、正の値である。この場合、第一テーブルでは、正の値の変化量（例えば、１ｃｍ２）と対応付けて、当該変化量の分だけ、前記増幅率を減少させる調整量（例えば、−１）が対応付けられている。
【００７７】
又は、前回面積総和に対する今回面積総和の変化量が、今回面積総和から前回面積総和を除算した結果で示されるとする。この場合、今回面積総和が前回面積総和よりも大きくなったことを示す変化量は、１より大きい値となる。この場合、第一テーブルでは、１より大きい変化量（例えば、１．０５）と対応付けて、当該変化量から１を減算した結果（例えば、１．０５−１）の分だけ、前記増幅率を減少させる調整量（例えば、×０．９５（＝１−（１．０５−１）））が対応付けられている。
【００７８】
音圧調整部３３は、上記のようにして、低域用アンプ３１が用いる増幅率の調整量を算出すると、当該算出した調整量を示す信号を低域用アンプ３１に出力する。低域用アンプ３１は、当該調整量を示す信号を受信すると、受信した信号が示す調整量を用いて低域音声を示す信号を増幅するときの増幅率を調整する。これにより、低域用アンプ３１は、当該調整後の増幅率で増幅した低域音声を示す信号を低音用スピーカ１１に出力するようになる。このようにして、音圧調整部３３は、複数の開口端２２の夫々の開口面積ＳＡに応じて低域音声の音圧を調整する。
【００７９】
したがって、第三実施形態の構成によれば、上述のように、ある部屋５０の開口部５１に連結されたダクト２０の開口端２２の開口面積ＳＡが調整されたことにより、他の各部屋５０で再生される低域音声の音圧が変化することを回避するため、各開口端２２の開口面積ＳＡに応じて、低域音声の音圧を当該変化前の音圧に調整することができる。
【００８０】
（第四実施形態）
上記第三実施形態では、ある部屋５０の開口部５１に連結されたダクト２０の開口端２２の開口面積ＳＡが調整されたことにより、他の各部屋５０で再生される低域音声の音圧が変化することを回避するため、各開口端２２の開口面積ＳＡに応じて、低域音声の音圧を当該変化前の音圧に調整することができる。しかし、当該部屋５０で再生される低域音声の音圧は、調整後の開口面積ＳＡに応じて変化するのに対し、当該部屋５０内で再生される中高域音声の音圧は変化しない。このため、当該部屋５０では、再生される低域音声の音圧と中高域音声の音圧のバランスが崩れる虞がある。
【００８１】
このような問題を回避するため、以下に示すように、第三実施形態におけるサウンドシステム１ｂの構成を更に変形してもよい。図１１は、本開示のサウンドシステム１ｃの第四の構成例を示す図である。図１１に示すように、サウンドシステム１ｃは、音圧調整部３３及び複数の部屋５０に備えられた中高音用スピーカ１２の夫々に接続された、上記第三実施形態の中高域用アンプ３２と同様の複数の中高域用アンプ３２ａを備える。
【００８２】
また、音圧調整部３３は、複数の開口端２２のうちの一の開口端２２である対象開口端の開口面積ＳＡが調整部２３によって調整された状態において低域音声の音圧を調整した場合、調整部２３による調整後の対象開口端の開口面積ＳＡに応じて、対象開口端に連結された開口部５１を備えた部屋５０の中高音用スピーカ１２によって再生される中高域音声の音圧を調整する。
【００８３】
例えば、リビング（図１１）の開口部５１に連結された開口端２２の開口面積ＳＡが調整部２３によって小さく調整された場合、リビングでは、リビングの開口部５１に連結された開口端２２である対象開口端の開口面積ＳＡが小さく調整された量に応じて、低域音声の音圧が減少する。このため、音圧調整部３３は、低域音声の音圧が減少する分だけ、リビングの中高音用スピーカ１２によって再生される中高域音声の音圧を減少させる調整を行う。一方、当該対象開口端の開口面積ＳＡが調整部２３によって大きく調整された場合、リビングでは、対象開口端の開口面積ＳＡが大きく調整された量に応じて、低域音声の音圧が増大する。このため、音圧調整部３３は、低域音声の音圧が増大する分だけ、リビングの中高音用スピーカ１２によって再生される中高域音声の音圧を増大させる調整を行う。
【００８４】
具体的には、音圧調整部３３のメモリには、ダクト２０が備える複数の開口端２２の夫々について、各開口端２２の開口面積ＳＡと、中高域用アンプ３２が中高域音声の音圧を増幅するときの増幅率の調整量と、を対応付ける第二テーブルが予め記憶されている。
【００８５】
音圧調整部３３は、対象開口端の開口面積ＳＡが調整部２３によって調整された状態において低域音声の音圧を調整した場合、対象開口端についての第二テーブルにおいて、当該調整部２３の駆動制御部から受信した対象開口端の開口面積ＳＡに対応付けられている前記調整量を取得する。そして、音圧調整部３３は、低域音声の音圧を調整する場合と同様、当該取得した調整量を示す信号を、リビングの中高音用スピーカ１２に接続された中高域用アンプ３２ａに出力する。
【００８６】
中高域用アンプ３２ａは、前記調整量を示す信号を受信すると、受信した信号が示す調整量を用いて中高域音声を示す信号を増幅するときの増幅率を調整する。これにより、中高域用アンプ３２ａは、当該調整後の増幅率で増幅した中高域音声を示す信号を、リビングの中高音用スピーカ１２に出力するようになる。このようにして、音圧調整部３３は、対象開口端の開口面積ＳＡに応じて中高域音声の音圧を調整する。
【００８７】
第四実施形態の構成によれば、対象開口端の開口面積ＳＡが調整された状態において低域音声の音圧が調整された場合に、対象開口端に連結された開口部５１を備えた部屋５０で再生される低域音声の音圧と中高域音声の音圧のバランスが崩れないように、当該部屋５０の中高音用スピーカ１２によって再生される中高域音声の音圧を調整することができる。
【００８８】
（第五実施形態）
上記第四実施形態では、音圧調整部３３が対象開口端の開口面積ＳＡに応じて、低域音声及び対象開口端に連結された開口部５１を備えた部屋５０で再生される中高域音声の音圧を調整していた。しかし、以下に示すように、音圧調整部３３が、対象開口端の開口面積ＳＡによらずに、低域音声の音圧及び複数の部屋５０の夫々の中高音用スピーカ１２によって再生される中高域音声の音圧を調整するよう、第二実施形態のサウンドシステム１ａの構成を変形してもよい。
【００８９】
図１２は、本開示のサウンドシステム１ｄの第五の構成例を示す図である。図１２に示すように、サウンドシステム１ｄは、複数の部屋５０に備えられた中高音用スピーカ１２の夫々に接続された、上記第二実施形態の中高域用アンプ３２と同様の複数の中高域用アンプ３２ａを備える。また、サウンドシステム１ｄは、複数の部屋５０の夫々に、音声を集音するマイク５３を備える。更に、サウンドシステム１ｄは、音圧調整部３３ａを備える。
【００９０】
音圧調整部３３ａは、複数の部屋５０の夫々のマイク５３が集音した音声の音圧の周波数特性に応じて、低域音声の音圧及び複数の部屋５０の夫々の中高音用スピーカ１２によって再生される中高域音声の音圧を調整する。具体的には、音圧調整部３３ａは、メモリ等を備えた信号処理回路と通信回路によって構成され、オーディオシステム３０、低域用アンプ３１、複数の中高域用アンプ３２ａ及びマイク５３と通信可能に接続されている。
【００９１】
音圧調整部３３ａを構成する前記信号処理回路のメモリには、マイク５３が集音した音声の低域音声の音圧の変化量と、低域用アンプ３１が低音域音声の音圧を増幅するときの増幅率の調整量と、を対応付ける第三テーブルが予め記憶されている。
【００９２】
音圧調整部３３ａは、複数の部屋５０の夫々のマイク５３が集音した音声の音圧を定期的に周波数解析する。ここで、周波数解析するとは、複数の部屋５０の夫々のマイク５３が集音した音声に含まれる低域音声の音圧の代表値と、複数の部屋５０の夫々のマイク５３が集音した音声に含まれる中高域音声の音圧の代表値と、を取得することを示す。尚、代表値とは、平均値、最大値、又は最小値である。
【００９３】
複数の開口端２２のうちの一の開口端２２である対象開口端の開口面積ＳＡが調整部２３によって調整されたことにより、対象開口端に連結された開口部５１を備えた部屋５０（以降、対象部屋）のマイク５３が集音した音声の低域音声の音圧が変化したとする。この場合、音圧調整部３３ａは、当該低域音声の音圧の変化量を算出し、第三テーブルにおいて、当該算出した変化量と対応付けられている低域用アンプ３１が低音域音声の音圧を増幅するときの増幅率の調整量を取得する。
【００９４】
尚、第三実施形態で説明したように、対象開口端の開口面積ＳＡが小さく調整され、対象部屋のマイク５３が集音した音声の低域音声の音圧が小さく変化した場合、前回面積総和に対する今回面積総和の変化量が小さくなり、対象部屋とは異なる部屋５０で再生される低域音声の音圧が大きくなる虞がある。このため、第三テーブルでは、対象部屋のマイク５３が集音した音声の低域音声の音圧が小さく変化したことを示す変化量には、当該変化量に応じて増幅率を減少させる調整量が対応付けられている。これとは反対に、第三テーブルでは、対象部屋のマイク５３が集音した音声の低域音声の音圧が大きく変化したことを示す変化量には、当該変化量に応じて増幅率を増大させる調整量が対応付けられている。
【００９５】
音圧調整部３３ａは、当該取得した調整量を示す信号を低域用アンプ３１に出力する。低域用アンプ３１は、当該調整量を示す信号を受信すると、受信した信号が示す調整量を用いて低域音声を示す信号を増幅するときの増幅率を調整する。これにより、低域用アンプ３１は、当該調整後の増幅率で増幅した低域音声を示す信号を低音用スピーカ１１に出力するようになる。これにより、音圧調整部３３ａは、対象部屋のマイク５３が集音した音声の低域音声の音圧の変化に応じて、低域音声の音圧を調整する。
【００９６】
また、音圧調整部３３ａを構成する前記信号処理回路のメモリには、複数の部屋５０の夫々について、各部屋５０のマイク５３が集音した音声の中高域音声の音圧と、各部屋５０の中高音用スピーカ１２に接続された中高域用アンプ３２ａが中音域音声の音圧を増幅するときの増幅率の調整量と、を対応付ける第四テーブルが予め記憶されている。
【００９７】
音圧調整部３３ａによって、対象部屋のマイク５３が集音した音声の低域音声の音圧の変化に応じて低域音声の音圧が調整された場合、当該対象部屋で再生される低域音声の音圧と中高域音声の音圧とのバランスが崩れる虞がある。したがって、この場合、音圧調整部３３ａは、当該対象部屋についての第四テーブルにおいて、対象部屋のマイク５３が集音した音声の中高域音声の音圧と対応付けられている、中高域用アンプ３２が中高域音声の音圧を増幅するときの増幅率の調整量を取得する。そして、音圧調整部３３ａは、当該取得した調整量を示す信号を、対象部屋の中高音用スピーカ１２に接続された中高域用アンプ３２ａに出力する。
【００９８】
中高域用アンプ３２ａは、前記調整量を示す信号を受信すると、受信した信号が示す調整量を用いて中高域音声を示す信号を増幅するときの増幅率を調整する。これにより、中高域用アンプ３２ａは、当該調整後の増幅率で増幅した中高域音声を示す信号を、対象部屋の中高音用スピーカ１２に出力するようになる。このようにして、音圧調整部３３ａは、対象部屋のマイク５３が集音した音声の中高域音声の音圧の変化に応じて、対象部屋で再生される中高域音声の音圧を調整する。
【００９９】
したがって、第五実施形態の構成によれば、各部屋５０で再生される、低域音域の音声の音圧と中高音域の音声の音圧のバランスが崩れないように、各部屋５０でマイク５３によって集音された音声の音圧の周波数特性に応じて、各部屋５０で再生される低域音声の音圧と中高域音声の音圧とを調整することができる。
【０１００】
（第六実施形態）
低音用スピーカ１１で再生された低域音声が各部屋５０の開口部５１に到達するタイミングは、ダクト２０の一の開口端２１から各部屋５０の開口部５１までの長さであるダクト長Ｌｄ（図５）に応じて異なる。このため、上記第四実施形態及び第五実施形態の構成において、低域用アンプ３１で増幅した低域音声を示す信号と中高域用アンプ３２ａで増幅した中高域音声を示す信号とを同じタイミングで出力すると、複数の部屋５０の夫々において低域音声の再生が開始されるタイミングが、中高音用スピーカ１２で中高域音声の再生が開始されるタイミングよりも遅くなる虞がある。
【０１０１】
このような問題を回避するため、以下に示すように、図１１に示した第四実施形態におけるサウンドシステム１ｃの構成を更に変形してもよい。また、図１２に示した第五実施形態におけるサウンドシステム１ｄの構成も同様に変形してもよい。図１３は、本開示のサウンドシステム１ｅの第六の構成例を示す図である。図１４は、本開示のサウンドシステム１ｆの第七の構成例を示す図である。
【０１０２】
図１３に示すように、サウンドシステム１ｅは、上記第四実施形態のサウンドシステム１ｃ（図１１）の構成に加えて、遅延時間調整部３４を備える。一方、図１４に示すように、サウンドシステム１ｆは、上記第五実施形態のサウンドシステム１ｄ（図１２）の構成に加えて、遅延時間調整部３４ａを備える。
【０１０３】
遅延時間調整部３４、３４ａは、一の開口端２１から複数の部屋５０の夫々が備える開口部５１までの距離であるダクト長Ｌｄ（図５）に応じて、複数の部屋５０の夫々の中高音用スピーカ１２による中高域音声の再生タイミングを調整する。
【０１０４】
具体的には、遅延時間調整部３４、３４ａは、メモリ等を備えた信号処理回路と通信回路によって構成され、オーディオシステム３０及び複数の中高域用アンプ３２ａと通信可能に接続されている。また、ダクト２０内の空気によって、一の開口端２１からダクト長Ｌｄだけ離間した開口部５１まで低域音声が伝搬されるのに要する時間は、ダクト長Ｌｄを音速で除算した結果（＝ダクト長Ｌｄ／音速）で表される。
【０１０５】
したがって、遅延時間調整部３４、３４ａは、オーディオシステム３０から入力された中高域音声を示す信号を各部屋５０に対応する中高域用アンプ３２ａに出力するタイミングを、一の開口端２１から各部屋５０の開口部５１までの距離であるダクト長Ｌｄを音速で除算した結果（＝ダクト長Ｌｄ／音速）の分だけ遅らせる。
【０１０６】
第六実施形態の構成によれば、ダクト長Ｌｄに応じて、各部屋５０の中高音用スピーカ１２による中高域音声の再生タイミングを調整することで、各部屋５０において低域音声と中高域音声の位相を合わせて再生することができる。
【０１０７】
（変形実施形態）
以上、本開示の実施の形態について説明したが、本開示の実施の形態は、上記の実施の形態に限定されず、例えば、以下に示す変形実施形態であってもよい。
【０１０８】
（１）第六実施形態で説明したサウンドシステム１ｅ（図１３）において、音圧調整部３３を備えないようにしてもよい。これと同様に、サウンドシステム１ｆ（図１４）において、音圧調整部３３ａを備えないようにしてもよい。また、複数の部屋５０の夫々に、マイク５３を備えないようにしてもよい。
【０１０９】
（２）上記各実施形態及び上記（１）の変形実施形態における低域音声は、１００ヘルツとは異なる所定の周波数以下の周波数であってもよい。
【０１１０】
（３）第一実施形態で説明したサウンドシステム１（図３）において、低域用アンプ３１を一般的なアンプに変更し、オーディオシステム３０が音源に含まれる低域音声と中高域音声とを分離せず、音源の音声を示す信号をそのまま当該アンプに出力するようにしてもよい。これに合わせて、サウンドシステム１（図３）において、中高域用アンプ３２を備えないようにしてもよい。そして、複数の部屋５０の夫々に中高音用スピーカ１２を備えないようにしてもよい。
【産業上の利用可能性】
【０１１１】
また、本開示を適用したサウンドシステムは、一軒家の複数の部屋の夫々において同一の音源を重低音のある迫力ある音で再生でき、且つ、各部屋のスペースを有効に活用できる家庭用サウンドシステム等の産業上の利用可能性がある。
【符号の説明】
【０１１２】
１、１ａ〜１ｆ  サウンドシステム
１１  低音用スピーカ（第一スピーカ）
１１１  スピーカ振動板（再生面）
１２  中高音用スピーカ（第二スピーカ）
２０  ダクト
２１  一の開口端
２２  複数の開口端
２３  調整部
３３、３３ａ  音圧調整部
３４、３４ａ  遅延時間調整部
５０  部屋
５１  開口部
５３  マイク
Ｌｄ  ダクト長
ＳＡ  開口面積
【図１】
2020038329.tif 000003
【図２】
2020038329.tif 000004
【図３】
2020038329.tif 000005
【図４】
2020038329.tif 000006
【図５】
2020038329.tif 000007
【図６】
2020038329.tif 000008
【図７】
2020038329.tif 000009
【図８】
2020038329.tif 000010
【図９】
2020038329.tif 000011
【図１０】
2020038329.tif 000012
【図１１】
2020038329.tif 000013
【図１２】
2020038329.tif 000014
【図１３】
2020038329.tif 000015
【図１４】
2020038329.tif 000016